(57)【特許請求の範囲】
【請求項１】
化粧品を角質物質に塗布するための長手方向軸を有する一体成形ユニット構成のアプリケータであって、該アプリケータは、支持体及び少なくとも二列の歯を具備するヘッド部を備えており、該支持体は、遠位端及び近位端を有しつつ曲率半径を画定し、前記ヘッド部のほぼ全体が前記長手方向軸から前方へ湾曲しており、前記支持体は、第1及び第2の反対向きの側面を有し、前記少なくとも二列の歯が該支持体の該第1の側面に沿って配置され且つ前記長手方向軸に直交する方向へ該支持体の該第1の側面から突出しており、該支持体の該第2の側面は円滑であって歯がなく、前記歯の全ての主軸が相互に平行であり、該歯が、まつ毛を受けて分離させ、所望量の製品を受け取って角質物質に運ぶように構成された空間を画定するように配置されている、単一の材料で形成されているアプリケータ。
【請求項２】
前記歯が、千鳥配置された列で配置されている、請求項1に記載のアプリケータ。
【請求項３】
前記歯が、三列の千鳥配置された列で配置されている、請求項2に記載のアプリケータ。
【請求項４】
前記歯が、五列の千鳥配置された列で配置されている、請求項2に記載のアプリケータ。
【請求項５】
前記曲率半径が、約20mmから約1000mmの範囲である、請求項1に記載のアプリケータ。
【請求項６】
前記支持体の前記曲率半径が、約30mmから約60mmの範囲である、請求項5に記載のアプリケータ。
【請求項７】
前記支持体が、約5mmから約35mmの範囲の長さを有している、請求項1に記載のアプリケータ。
【請求項８】
前記支持体が、約20mmから約30mmの範囲の長さを有している、請求項7に記載のアプリケータ。
【請求項９】
前記歯が前記支持体のほぼ全長にわたって延びている、請求項7に記載のアプリケータ。
【請求項１０】
前記ヘッド部の前記近位端から前記アプリケータの前記長手方向軸に沿う方向へ延びるロッドをさらに備え、該ヘッド部が該長手方向軸から非対称に逸脱している、請求項1に記載のアプリケータ。
【請求項１１】
前記ロッドが、化粧品パッケージ用キャップに固定されるようになっている、請求項10に記載のアプリケータ。
【請求項１２】
前記ロッドが前記アプリケータと一体成形されている、請求項10に記載のアプリケータ。
【請求項１３】
前記アプリケータの前記ヘッド部が、取付手段によって前記ロッドに接続されている、請求項10に記載のアプリケータ。
【請求項１４】
前記取付手段は、前記支持体及び前記ロッドのうちの一方の上に取付ポストを具備し、該支持体及び該ロッドのうちの他方の上に該ポストを受けるための孔を具備しており、該取付ポストが、該取付ポストの長さにわたって配置された90°表面を画定する周面溝を有している、請求項13に記載のアプリケータ。
【請求項１５】
前記支持体が、約1mmから約12mmの範囲の幅を有している、請求項1に記載のアプリケータ。
【請求項１６】
前記支持体が、約2mmから約5mmの範囲の幅を有している、請求項15に記載のアプリケータ。
【請求項１７】
前記支持体の前記幅が、前記近位端から前記遠位端までテーパ状に変化している、請求項15に記載のアプリケータ。
【請求項１８】
前記歯が、約1mmから約4mmの範囲の高さを有している、請求項1に記載のアプリケータ。
【請求項１９】
前記歯が円筒形断面を有している、請求項1に記載のアプリケータ。
【請求項２０】
射出成形若しくは圧縮成形による、プラスチック、エラストマー又は液体射出成形(LIM)エラストマーのいずれかから形成される、請求項1に記載のアプリケータ。
【請求項２１】
まつ毛若しくはまゆ毛化粧品製品、毛髪製品、トリートメント製品又は薬剤製品を塗布するようになっている、請求項1に記載のアプリケータ。
【請求項２２】
製品を入れる容器と、
請求項10に記載のアプリケータを備えた、前記製品を角質物質に塗布する包装用及び塗布用装置。
【請求項２３】
ワイパ部材をさらに備えている、請求項22に記載の装置。
【請求項２４】
前記装置が前記容器用キャップをさらに備え、該装置がその閉位置にある場合に、前記アプリケータが該容器の内側に格納されるように構成されている、請求項22に記載の装置。
【請求項２５】
前記支持体の前記第1の側面が凹面を有している、請求項1に記載のアプリケータ。
【発明の詳細な説明】
【技術分野】
【０００１】
本発明は概して、まつ毛、まゆ毛又は毛髪などの角質物質に化粧品物質を塗布する装置に関し、詳細には、化粧品製品、例えばマスカラをまつ毛などの角質物質により効率的に塗布することが容易となるように設計されたヘッド部を備えた成形化粧品アプリケータに関するものである。
【背景技術】
【０００２】
化粧品材料、特にまつ毛やまゆ毛に塗布されるものは、女性の顔の化粧法の不可欠な部分となっており、眼に美しい枠を与えることから、まつ毛やまゆ毛に化粧品製品を塗布する様々な塗布用装置がある。その一例としての従来の撚線ブラシは、ブラシ製造技術の制約に起因するその性能の制限によって急速に流行遅れとなってきており、実質的に制限のない幾何形状や性能の変化をもたらすことができる成形アプリケータが、このような装置に取って代わってきている。さらに、成形アプリケータは、消費者が期待するブラシのような塗布特性に追加の性能利点をもたらすことができるものである。
【発明の概要】
【発明が解決しようとする課題】
【０００３】
しかしながら、成形アプリケータの性能や成形アプリケータが生み出す効果においては更なる向上が必要とされている。例えば、改善されたコーミング及び/又はまつ毛分離動作、拭き取りや製品ペイオフ特性を含めた、優れた塗布機能の一つ又は複数をアプリケータに提供することが望ましい。具体的には、眼の隅にある最も短いまつ毛へのアクセスを改善しながら、瞼に沿って整列されたまつ毛の湾曲に対応できる人間工学的に設計されたアプリケータヘッドが求められている。また、ユーザが容易に塗布するために使用できる任意の反射表面内において、まつ毛を少しも妨げられることなく見ることができるように、細い輪郭を有するヘッド部を備えたアプリケータを提供することが望ましい。
【０００４】
さらに、構成部品が一層少ない成形アプリケータ、及び/又は化粧品パッケージ用キャップに容易に挿入できるアプリケータを提供することが望ましい。
【課題を解決するための手段】
【０００５】
本発明の一態様によれば、化粧品を角質物質に塗布する一体成形ユニット構成のアプリケータが提供される。アプリケータは、その一端部に、遠位端及び近位端を有する支持体を具備しつつ曲率半径を画定できるヘッド部を備えている。また、支持体は、第1及び第2の反対向きの側面と、ヘッド部の長手方向軸に沿って配置され、支持体の一方の側面から横方向に突出する少なくとも二列の歯を有しており、反対側の側面は円滑であって歯がない。また、歯の少なくともいくつかの主軸は相互に平行であり、歯の列は、まつ毛を受けて分離させ、所望量の製品を受け取って角質物質に運ぶように構成された空間を画定するものである。そして、成形アプリケータは単一の材料で形成されている。
【０００６】
本発明の一実施の形態によれば、アプリケータは、化粧品パッケージ用キャップに固定されるために適切な一体成形ユニットを備えている。また、本発明の別の実施の形態によれば、アプリケータはロッド又はステムに連結されて、その後化粧品パッケージ用キャップに固定されるようになっている。
【０００７】
本発明の別の態様によれば、本明細書に記載されるように、製品を入れる容器とアプリケータを備えた、製品を角質物質に塗布する包装用及び塗布用装置が提供される。
【図面の簡単な説明】
【０００８】
【図１】化粧品パッケージ内で使用される、本発明のアプリケータの断面図である。
【図２】化粧品パッケージ内で使用される、本発明のアプリケータの断面図である。
【図３】図1で示すアプリケータの側面図であって、その一端部に取付ポストが一体成形された図である。
【図４】本発明によるアプリケータの別の実施の形態の側面図であって、その一端部に他の取付ポストが一体成形された図である。
【図５】本発明によるアプリケータの別の実施の形態の側面図であって、その一端部に他の取付ポストが一体成形された図である。
【図６】アプリケータヘッドの一部の詳細図を含む、図1で示すアプリケータの側面図である。
【図７】本発明によるアプリケータの一実施の形態の上面図であって、三列の長手方向の列の歯と、化粧品製品を保持するための一列の長手方向の列の歯に関連する支持体内の経路を示す図である。
【図８】本発明によるアプリケータの別の実施の形態の上面図であって、五列の長手方向の列の歯を示す図である。
【図９】本発明によるアプリケータの端面図である。
【図１０】本発明によるアプリケータの端面図である。
【図１１】本発明によるアプリケータの端面図である。
【図１２】本発明によるアプリケータの端面図である。
【図１３】本発明によるアプリケータの端面図である。
【図１４】本発明によるアプリケータの端面図である。
【図１５】本発明によるアプリケータの端面図である。
【図１６】本発明によるアプリケータの端面図である。
【図１７】本発明によるアプリケータの別の実施の形態の側面図である。
【発明を実施するための形態】
【０００９】
次に、その実施例が添付の図面に示されている、本発明の例示的な実施の形態を詳細に参照する。例示のためにすぎないが、本発明は、図1及び2で示す、マスカラパッケージと合わせて使用されるものとして記載する。また、本開示は、まつ毛やまゆ毛、毛髪を含む角質物質に塗布される任意の化粧品製品、例えば固体、液体、クリームやペースト配合物と共に使用されるように適合できることは当業者には明らかであろう。
【００１０】
図1及び2から分かるように、マスカラパッケージ10、100は一般に、化粧品製品を入れる容器20、120と、容器20、120を閉じるキャップ30、130と、成形アプリケータ40、140を備えている。また、支持体44、144と歯46、146を備えたヘッド42、142を含むアプリケータ40、140は、キャップ30、130の下側に取り付けられて、容器20、120内に突出するようになっている。さらに、歯46、146が、支持体44、144の凹面側から突出している一方で、支持体44、144はその凸面側が円滑である。図1で示すように、アプリケータ40は、ロッド48によってキャップ30に固定されており、図2で示すように、アプリケータ140は、キャップ130に容易に固定できるロッド状部148を備えた一個構成の一体成形構造を有している。容器20、120は、容器20、120の一端部から軸方向に延びるネック50、150を有し、前記ネック50、150を介して容器20、120の内容物へのアクセスが可能となる。また、キャップ30、130を容器20、120のネック50、150に取り付ける手段56、156が設けられており、ネック50、150の外壁52、152とキャップ30、130の内壁54、154に対向するねじ山を含むことができる。なお、キャップ30、130を容器のネック50、150に取り付ける他の手段、例えばスナップ型の蓋やつまみ型の蓋が知られており、それらを使用して同じ結果を得ることもできる。図1で示すように、ねじ山付き蓋手段56がキャップに内蔵され、ロッド48は蓋手段とは独立して、キャップ30内に直接挿入、例えばスナップ嵌めされる。別の方法では、図2で示すように、マスカラパッケージ100は、キャップ130とロッド状部148の両方に取り付けられた一個構成の蓋手段156を備えることができる。蓋手段156はキャップ30に挿入されるようになっており、ロッド状部148は蓋手段156に直接係合するものである。さらに、容器20、120は、アプリケータ40、140が容器20、120から取り除かれる際に、アプリケータヘッド42、142とロッド48又はロッド状部148を拭き取るために、ネック50、150に取外し可能に挿入することができるワイパ部材60、160を備えることができる。
【００１１】
図1で示すアプリケータ40のヘッド42は、機械的及び/又は接着接続によってロッド48に固定することができる。アプリケータ40は、図1、より詳細には図3で示すように、取付ポスト68に沿って配置された90度表面64、66、65、67を備えた溝62を利用して取付手段を組み込むことができ、取付ポスト68によって、アプリケータ40を方向付けすることなくロッド48に取り付けることができ、使用の際には、保持力がアプリケータ40の取付手段の引張破損に近づいて、及び/又は超過してアプリケータ40が外れてしまうことを防ぐことができる。したがって、図1及び3で示す本発明の一実施の形態によれば、アプリケータ40のヘッド部42は、取付ポスト68と一体成形されてロッド48に固定できる。ここで、アプリケータ40の取付ポスト68は、ロッド48の浅い孔70に物理的にスナップ嵌めすることができ、及び/又はロッド48は取付ポスト68上の溝62に圧着することができる。別の方法では、アプリケータ40の取付ポスト68は、ロッド48に超音波又は誘導溶接することができ、或いは当業者に知られている手段によってロッド48に接着することができる。また、取付ポスト68は、従来の製造及び組立技術によって、ロッド48へ確実に接続される任意の形状をとることができる。その例として、アプリケータ11、13に対する他の取付ポスト78、88が、図4及び5で示されている。本発明の別の実施の形態(図示せず)によれば、ロッドの一端部を取付ポストと一体成形することができ、取付ポストを既述する機械的/接着手段によってアプリケータの近位端に固定することができ、例えば、取付ポストを、アプリケータの近位端の浅い孔で受け取り可能なものとすることができる。さらに、アプリケータ40、140は、ロッド48又はロッド状部148から歯46、146を隔離させ、より効果的及びより清潔に角質物質へ製品を塗布するために製品を蓄積させるように機能する遷移部72、172を備えていることが好ましい。
【００１２】
本発明によれば、アーチ状ヘッド42は、約5mmから約35mm、好ましくは約20mmから約30mmの長さであって、約20mmから約1000mmの範囲、マスカラアプリケータとしては好ましくは約20から約60mmの範囲、まゆ毛製品アプリケータとしては好ましくは約50から約200mmの範囲の曲率半径を有しているものである。図3及び6で示すように、歯46は支持体44の凹面側76ではヘッド42の長手方向軸Iに沿って配置され、支持体44の凸面側74は円滑で歯46がない。図示しないが本発明の他の実施形態では、支持体の凸面側が歯を備えており、支持体の凹面側が円滑で歯がない。アプリケータ40を容器20から引き抜く際には、支持体44の円滑な側面74がワイパ部材60に接触してきれいに拭き取られ、アプリケータ42のヘッドの一方の側面だけが製品で満たされるので、配合を歯46の上の必要な所に集中させることができる。
【００１３】
また、図6で示すように、アプリケータヘッド42は細い輪郭で構成されている。歯46は、支持体の凹面側76に沿って延びており、歯46はそれぞれ主軸IIを有し、支持体44の凹面側76に取り付けられたベース79から延びて自由端80で終端するものである。歯46の少なくともいくつかの主軸は相互に平行であって、歯46の全ての主軸が相互に平行であることが好ましい。また、隣接する歯46は、まつ毛を受けて分離させると共に、まつ毛に最も効率的に塗布するために所望量の製品を受け取るように構成された空間81を画定するものである。ここで、利用される歯46の形状は、所望の程度の剛性/可撓性、ペイオフ、装填、及び他の所望の塗布特性によって決定され、歯46の断面形状は例えば、円筒形、菱形又は楕円形であってもよいが、歯46は、そのベース端部79からその自由端80までテーパ状になっていることが好ましい。
【００１４】
図7及び8で示すように、アプリケータ15、17の歯90、190は、その長手方向軸II、IIIに沿って支持体94、194の凹面側93、193から長手方向の列91、191で延びている。図7で示すように、三列の長手方向の列91の歯90を設けることができ、図8で示すように、五列の長手方向の列191の歯190を設けることができる。さらに、各長手方向の列91、191の歯90、190は、隣接する一つ又は複数の列91、191の歯90、190に対して長手方向にオフセットして、又は千鳥配置で配置することができる。図7で示すように、少なくとも一列91の歯90を支持体94内へ窪んだ経路92へ配置することができ、経路92は、歯90の上への製品の装填を促進するために、化粧品材料、例えばマスカラを保持できるようになっている。別の方法では、本発明の別の実施の形態(図示せず)においては、長手方向の列の少なくとも一列の歯のベースを支持体内へ窪んだ貯蔵部に取り付けることができる。
【００１５】
本発明によるアプリケータヘッドは一般に、約1から12mmの範囲であって、約2から5mmの範囲の幅を有していることが好ましい。例えば、アプリケータヘッドは、近位端では約3から4mmの範囲であって、遠位端では約2から3mmの範囲の幅を有することができる。図7及び8で示すように、アプリケータ15、17のヘッド95、195上の長手方向の列91、191の歯90、190の少なくとも一つは、内側から外側隅部まで測定した際の上又は下瞼のまつ毛のふさの平均長さに対応する、約20から35mmの範囲など、支持体94、194の全長にほぼ対応する距離にわたって延びることができ、眼の湾曲に近似させることができる。さらに、より効果的に眼の内側隅部の最も短いまつ毛に到達するために、支持体94、194は遠位端98、198から近位端96、196までテーパ状になっていることが好ましい。また、ユーザに対する怪我や不快感を防ぐために、遠位端98、198を丸くすることが好ましい。また、まゆ毛又は毛髪製品(図示せず)に使用するためのアプリケータのヘッドの幅は一般に、約4から10mmの範囲であって、約6から約8mmの範囲であることが好ましく、長手方向の列の歯は、所望の長さとしてユーザのまゆ毛のほぼ平均長さだけ延びることができ、まゆ毛の湾曲に近似させることができる。
【００１６】
図9〜16は、本発明によるアプリケータの長手方向軸を通る端面図を示している。なお、同じ長手方向の列の全ての歯はこの図を通して重なっている。また、アプリケータ上に長手方向の列で配置された歯は、均一の高さ(図9〜12)であってもよいし、その高さが変化してもよい(図13〜16)。例えば、図9で示すように、均一の高さの歯は、千鳥配置されていない三列の中心及び外側の列9a、9bに配置されており、図10では、列10a、10bが千鳥配置されている。また、図11では、均一の高さの千鳥配置されていない五列の中心、外側及び中間の列11a、11b、11cを有する本発明の別の実施の形態が示されており、図12では、千鳥配置されている五列の列12a、12b、12cが示されている。ここで、歯の高さは典型的には約1から4mmの範囲であって、約2から3mmの範囲であることが好ましい。
【００１７】
図13で示すように、様々な高さの歯が、千鳥配置されていない三列の長手方向(中心及び外側)の列13a、13bに配置されており、図14では、列14a、14bが千鳥配置されている。ここで、中心の列13a、14aの歯は、外側の列13b、14bの歯に対して相対的に高い。別の方法では、図15及び16で示すように、歯は、千鳥配置されていない又は千鳥配置されている五列の平行な列で配置されている。ここで、中心の列15a、16aの歯の高さは、外側の列15b、16bの歯の高さより高く、中間の列15c、16cの歯の高さは中心及び外側の列の歯の高さの間の高さである。例えば、中心の列の歯は、例えば約1から約4mmの範囲であって、約3から4mmの範囲の最も高い高さを有することが好ましく、外側の列の最も低い歯は、約0.5mmから約2mmであって、約1mmから2mmの範囲の高さを有することが好ましい。そして、中間の列の歯は、最高及び最低の歯の高さの間、例えば約2から3mmの範囲の高さを有することができる。図17には、本発明による別のアプリケータが示されており、アプリケータ19の支持体84の遠位端83における歯82aの高さは、支持体84の近位端85における歯82bの高さと比較して相対的に低い。例えば、近位端85での歯82bの高さは、約3から4mmの範囲の高さを有することができ、遠位端83での歯82aは、眼の内側隅部の最小のまつ毛により効果的に接触するように、約0.5から約2mmの範囲であってもよい。
【００１８】
そして、平行な歯の列は、例えばプラスチック/ポリマー材料、エラストマー又は液体射出成形(LIM)シリコーンエラストマーを射出成形又は圧縮成形することによって、支持体との一体成形片として、単一の弾力性材料から一体的に製造される。圧縮成形では、熱可塑性エラストマーの使用が好ましいが、ポリエステル、ポリエチレン、及び/又はポリウレタンも使用できる。また、射出成形では、ポリウレタン、ポリエステル、及びシリコーンなどの熱硬化エラストマー(TSE)を含む、熱可塑性又は熱硬化性材料を利用できる。射出成形に特に好ましい熱可塑性樹脂としては、ハイトレル(登録商標)(デュポン株式会社)、ポリエーテルエステルエラストマーブロックポリマーを挙げることができる。また、成形材料としては、抗菌剤、例えばトリクロサン(登録商標)、及び/又は、可撓性を向上させ、時間の経過によるクラックの発生を抑制する可塑剤などの製品性能強化及び/又は保存寿命強化剤や、吸湿性プラスチック上にバリア層を提供するフッ素化剤を挙げることができる。本発明の一実施の形態では、アプリケータは、機械的及び/又は接着接続によってロッドに取り付けられる準備ができているような成形プレスから形成される。また、本発明の他の実施の形態によれば、アプリケータは、完全に組み立てられ、単一のユニットとしてキャップに取り付けるのに適した成形プレスから形成される。
【００１９】
本発明は、特定の実施の形態を参照して本明細書に記載されたが、これらの実施の形態は、本発明の特定の原則や応用例を単に例示したものであることを理解されたい。さらに、多くの変更を例示的な実施の形態に加えることができ、本発明から逸脱することなく他の配置を考案することができることを理解されたい。
【図１】
0005468004.tif 000002
【図２】
0005468004.tif 000003
【図３】
0005468004.tif 000004
【図４】
0005468004.tif 000005
【図５】
0005468004.tif 000006
【図６】
0005468004.tif 000007
【図７】
0005468004.tif 000008
【図８】
0005468004.tif 000009
【図９】
0005468004.tif 000010
【図１０】
0005468004.tif 000011
【図１１】
0005468004.tif 000012
【図１２】
0005468004.tif 000013
【図１３】
0005468004.tif 000014
【図１４】
0005468004.tif 000015
【図１５】
0005468004.tif 000016
【図１６】
0005468004.tif 000017
【図１７】
0005468004.tif 000018